(57)【要約】  無線充電方法は、１つ以上の充電可能な電子機器を検索するステップと、上記検索された１つ以上の電子機器から電力サービス情報を受信するステップと、上記検索された１つ以上の電子機器が上記受信された電力サービス情報に基づいて充電されることができるか否かを判定するステップと、上記検索された１つ以上の電子機器が充電されることができる場合に上記電子機器から電力を受信するステップとを含む。
2013526240.tif 000002
【特許請求の範囲】
【請求項１】
無線充電方法であって、
１つ以上の充電可能な電子機器を検索するステップと、
前記検索された１つ以上の電子機器から電力サービス情報を受信するステップと、
前記検索された１つ以上の電子機器が前記受信された電力サービス情報に基づいて充電されることができるか否かを判定するステップと、
前記検索された１つ以上の電子機器が充電されることができる場合に前記電子機器から電力を受信するステップと
を有することを特徴とする無線充電方法。
【請求項２】
前記充電可能な１つ以上の電子機器を検索するステップは、サーバを通して無線充電を要請する電子機器に隣接した前記１つ以上の電子機器を検索するステップを有することを特徴とする請求項１に記載の無線充電方法。
【請求項３】
前記電力サービス情報は、前記検索された１つ以上の電子機器が電力充電料金制に加入しているか否かに関する情報と前記検索された１つ以上の電子機器のバッテリーに残っている電力量に関する情報とを含むことを特徴とする請求項１に記載の無線充電方法。
【請求項４】
前記検索された１つ以上の電子機器が充電されることができるか否かを判定するステップは、前記検索された１つ以上の電子機器のうちで電力充電料金制に加入されており、これらのバッテリー内に電力を有する電子機器が存在するか否かを判定するステップを有することを特徴とする請求項１に記載の無線充電方法。
【請求項５】
前記電子機器から電力を受信するステップは、
前記検索された１つ以上の電子機器のうちで電力充電料金制に加入されているすべての電子機器を選択するステップと、
前記電力充電料金制に加入されている電子機器のうちでもっとも隣接した電子機器を選択するステップと、
前記もっとも隣接した電子機器から前記電力を受信するステップとを有することを特徴とする請求項１に記載の無線充電方法。
【請求項６】
前記もっとも隣接した電子機器から供給される電力量が所望する電力量より少ない場合に、前記もっとも隣接した電子機器から電力を受信した後に前記電力充電料金制に加入されている電子機器のうちで２番目に隣接した電子機器を選択することにより追加で電力を受信するステップをさらに有することを特徴とする請求項５に記載の無線充電方法。
【請求項７】
前記受信された電力量に関する情報を前記検索された１つ以上の電子機器及びサーバに送信するステップをさらに有することを特徴とする請求項１に記載の無線充電方法。
【請求項８】
無線充電を要請する電子機器及び前記検索された１つ以上の電子機器の料金は、前記受信された電力量に関する情報に従って追加されるか又は割り引かれることを特徴とする請求項７に記載の無線充電方法。
【請求項９】
無線充電装置であって、
充電可能な１つ以上の電子機器を検索し、前記検索された１つ以上の電子機器から電力サービス情報を受信し、前記検索された１つ以上の電子機器が前記受信された電力サービス情報に基づいて充電されることができるか否かを判定し、前記検索された１つ以上の電子機器が充電されることができる場合に、前記検索された１つ以上の電子機器から電力を受信するように制御する通信及び制御部と、
前記通信及び制御部の制御下に前記検索された１つ以上の電子機器から電力を受信する電力受信部と
を有することを特徴とする無線充電装置。
【請求項１０】
前記通信及び制御部は、サーバを通して無線充電を要請する電子機器に隣接した前記１つ以上の電子機器を検索することを特徴とする請求項９に記載の無線充電装置。
【請求項１１】
前記通信及び制御部は、前記検索された１つ以上の電子機器のうちで電力充電料金制に加入されており、これらのバッテリーに電力を有する電子機器が存在するか否かを判定することにより前記検索された１つ以上の電子機器が充電されることができるか否かを判定することを特徴とする請求項９に記載の無線充電装置。
【請求項１２】
前記通信及び制御部は、前記検索された１つ以上の電子機器のうちで電力充電料金制に加入されているすべての電子機器を選択し、前記電力充電料金制に加入されている電子機器のうちでもっとも隣接した電子機器を選択し、前記もっとも隣接した電子機器から前記電力を受信するように制御することを特徴とする請求項９に記載の無線充電装置。
【請求項１３】
前記もっとも隣接した電子機器から供給される電力量が所望する電力量より少ない場合に、前記通信及び制御部は、前記もっとも隣接した電子機器から電力を受信した後に前記電力充電料金制に加入されている電子機器のうちで２番目に隣接した電子機器を選択することにより追加で電力を受信するように制御することを特徴とする請求項１２に記載の無線充電装置。
【請求項１４】
前記通信及び制御部は、前記検索された１つ以上の電子機器及びサーバに前記受信した電力量に関する情報を送信することを特徴とする請求項９に記載の無線充電装置。
【発明の詳細な説明】
【技術分野】
【０００１】
本発明は、一般に、無線充電に関し、特に、電子機器の間で電力を供給するために無線充電を実行する装置及び方法に関する。
【背景技術】
【０００２】
無線電力技術である無線充電技術は、電子機器が追加の充電器に接続せず、充電パッドに載せられる時に電子機器のバッテリーが自動で充電されるようにすることができる技術を意味する。一般的に、無線電動歯ブラシ及び無線電気カミソリは、無線充電技術を用いて充電され、この技術はよく知られている。このような製品に適用される無線充電技術は、防水機能を向上させることができ、有線充電器が必要でないために電子機器の携帯性を向上させることができるので注目を浴びている。
【０００３】
このような無線充電技術は、コイルを使用する電磁誘導方式、電気エネルギーを送信のためのマイクロ波に変換する無線電力送信方式、及び共振現象を使用する共振方式などに大別される。
【０００４】
電磁誘導技術は、１次コイルと２次コイルとの間の電力を送信する方式である。コイルの周辺に磁石を移動させる場合に、電流が誘導され電気が発生する。すなわち、送信器は、磁場を発生させ、受信器は、磁石の機能に代わりにエネルギーを生成する。電磁誘導技術は、効率的な高エネルギー送信の長所を有する。電磁誘導技術は、数多くの地域で最も広く実用化され、様々な電子機器に応用されている。
【０００５】
共振技術は、充電器から数メートル離れているとしても、共振方式電力送信原理を用いて電力を無線で送信する方式である。このような共振技術は、音叉が共振する場合に音叉の近くのワイングラスが同一の周波数で共振するという物理概念を使用する。共振技術において、音を共鳴させる代わりに電気エネルギーを含む電磁波を共鳴させることにより無線で電力を送信する。
【０００６】
無線電力送信技術は、無線周波数／マイクロ波放射により無線で電力を送信する方式である。無線電力送信技術は、電力エネルギーを無線送信に有利なマイクロ波に変換させることによりエネルギーを送信する新たな概念の電力送信方式である。
【０００７】
上述したように、様々な電力送信技術のうちの１つを適用する様々な電子機器が市場に発表されている。しかしながら、いままで使用されている電力送信技術の使用範囲は、無線電気カミソリ又は無線電動歯ブラシのような、これらの充電器の近辺にある電子機器に限定される。最近では、移動端末機のような移動性を重要視する電子機器にも無線充電技術の導入要求が増加しているので、これらの位置に関係なく電子機器を無線で充電するための技術が要求されている。
【発明の概要】
【発明が解決しようとする課題】
【０００８】
本発明の目的は、少なくとも上述した問題点及び／又は不都合に取り組み、少なくとも以下の便宜を提供することにある。すなわち、本発明の目的は、バッテリー充電を実行することができない状況において無線充電を実行するために同一の料金制に加入した電子機器間の無線充電を実行するための装置及び方法を提供することにある。
【課題を解決するための手段】
【０００９】
上記のような目的を達成するために、本発明の一態様によれば、無線充電方法は、１つ以上の充電可能な電子機器を検索するステップと、上記検索された１つ以上の電子機器から電力サービス情報を受信するステップと、上記検索された１つ以上の電子機器が上記受信された電力サービス情報に基づいて充電されることができるか否かを判定するステップと、上記検索された１つ以上の電子機器が充電されることができる場合に上記電子機器から電力を受信するステップとを含むことを特徴とする。
【００１０】
本発明の他の態様によれば、無線充電装置は、１つ以上の充電可能な電子機器を検索し、上記検索された１つ以上の電子機器から電力サービス情報を受信し、上記検索された１つ以上の電子機器が上記受信された電力サービス情報に基づいて充電されることができるか否かを判定し、上記検索された１つ以上の電子機器が充電されることができる場合に、上記検索された１つ以上の電子機器から電力を受信するように制御する通信及び制御部と、上記通信及び制御部の制御の下に上記検索された１つ以上の電子機器から電力を受信する電力受信部とを含むことを特徴とする。
【００１１】
本発明のさらに他の態様によれば、無線充電装置は、１つ以上の電子機器から電力サービス情報の送信の要請を受信する時に上記電力サービス情報を送信し、上記電力サービス情報を受信する１つ以上の電子機器から無線充電要請を受信する時に無線充電要請を受諾するか否かを判定することにより無線で充電するか否かを判定する通信及び制御部と、上記無線充電要請が受諾される場合に上記通信及び制御部の制御の下に上記検索された１つ以上の電子機器に電力を供給する電力送信部とを含むことを特徴とする。
【００１２】
本発明のさらなる他の態様によれば、無線充電方法は、１つ以上の電子機器から電力サービス情報の送信の要請を受信するステップと、上記電力サービス情報を送信し、上記電力サービス情報を受信する１つ以上の電子機器から無線充電要請を受信するステップと、上記無線充電要請を受諾するか否かを判定するステップと、上記無線充電要請が受諾される場合に、上記検索された１つ以上の電子機器に電力を供給するステップとを含むことを特徴とする。
【発明の効果】
【００１３】
本発明は、同一の料金制に加入した電子機器の間で無線充電を実行することにより、バッテリー充電を実行することができない環境においてバッテリー放電に関する心配がない。また、バッテリー充電による料金が追加されるか又は割り引かれるので、通信会社は、追加の料金を通した追加の利益を実現することができるという効果がある。
【００１４】
本発明の実施形態の上述した及び他の様相、特徴、及び利点は、以下の添付図面が併用された後述の詳細な説明から、より一層明らかになるだろう。
【図面の簡単な説明】
【００１５】
【図１】本発明の一実施形態による電力サービス加入を通した無線充電を実行するシステムを示す図である。
【図２】本発明の一実施形態による無線充電を実行することができる電子機器の内部の構成を示すブロック図である。
【図３】本発明の一実施形態による電子機器間の無線充電過程を示すフローチャートである。
【図４】本発明の一実施形態による電力サービスに加入した電子機器間の無線充電を実行するシステムを示す図である。
【図５】本発明の一実施形態による電力サービスに加入した電子機器間の無線充電を実行するシステムを示す図である。
【図６】本発明の一実施形態による無線充電による充電情報を送信するシステムを示す図である。
【図７】本発明の一実施形態による電子機器間の無線充電を管理する基地局サーバの内部構成を示すブロック図である。
【発明を実施するための形態】
【００１６】
図面中、同一の図面参照符号は、同一の構成要素、特性、及び構造を意味することが分かるはずである。
【００１７】
以下、本発明の望ましい実施形態を添付の図面を参照して詳細に説明する。下記の詳細な説明は、本発明の理解を助けるために様々な特定の詳細を含む。しかしながら、このような特定事項なしでも本発明が実施できることは、当該技術分野における通常の知識を有する者には自明である。
【００１８】
図１は、本発明の一実施形態による電力サービス加入を通した無線充電を実行するシステムを示す図である。図１のシステムは、基地局サーバ１０１、バックボーン１０２、基地局１０３、及び複数の電子機器１０４乃至１０７を含む。複数の電子機器１０４乃至１０７は、移動端末機Ａ  １０４、移動端末機Ｂ  １０５、移動端末機Ｃ  １０６、及び充電ステーション（充電用パッド）１０７を含む。移動端末機１０４乃至１０６の横のバーはバッテリー電力量を示す。システムは、移動端末機１０４乃至１０６がバッテリーを有する他の電子機器に置き換えられても無線充電を十分に実行することができる。
【００１９】
図１を参照すると、基地局サーバ１０１は、自身が管理する範囲内に含まれる基地局１０３に接続された移動端末機１０４乃至１０６と充電ステーション１０７間の通信及び料金を管理する。バックボーン１０２は、基地局１０３を基地局サーバ１０１に接続するネットワークを意味する。基地局１０３は、自身に接続された移動端末機１０４乃至１０６又は充電ステーション１０７をバックボーン１０２に接続する中継器として機能する。基地局１０３は、ジグビー（ZigBee）、ブルートゥース（登録商標）、無線ＬＡＮ（Ｗｉ−Ｆｉ）、超広帯域（ＵＷＢ）又は無線充電システムで任意の通信プロトコルのような近距離通信モデムを搭載した場合に、アクセスポイント（Access Point）の機能を実行することができる。移動端末機１０４乃至１０６及び充電ステーション１０７は、無線充電が可能な電子機器であり、相互間に無線充電が可能である。
【００２０】
図２は、本発明の一実施形態による無線充電を実行することができる電子機器２１及び２３の内部構成を示すブロック図である。
【００２１】
図２を参照すると、電力を送信する電子機器２１は、電力送信部２０１、通信及び制御部２０３、及びバッテリー２０５を含む。電力送信部２０１は、通信及び制御部２０３の制御下にバッテリー２０５から電力を受信し、該電力を無線送信が可能な形態の電力に変換し、この変換された電力を電力送信部２０１に接続されたコイルを通して送信する。通信及び制御部２０３は、所定のしきい値に到達するまで電力送信部２０１を制御することにより電力を送信するように制御し、基地局１０３と通信することにより電力送信の内容を送信する。バッテリー２０５は、電力送信部２０１の要請に応じて格納されている電力を電力送信部２０１に送信する。
【００２２】
電力を受信する電子機器２３は、電力受信部２０７、通信及び制御部２０９、及びバッテリー２１１を含む。電力受信部２０１は、この変換された電力を電子機器２１から受信する際に、電力受信部２０７は、この受信された電力をバッテリー２１１が使用可能な電力に変換した後に、この変換された電力をバッテリー２１１に送信する。電力受信部２０７は、変換された電力を電力受信部２０７に接続されたコイルを通して受信し、基本的に通信及び制御部２０９の制御下に電力を受信する。通信及び制御部２０９は、所定のしきい値以上の電力を受信するように電力受信部２０７を制御し、基地局１０３と通信することにより電力受信の内容を送信する。通信及び制御部２０９は、電力が所定のしきい値に到達する前に電力送信が電子機器２１から中断される場合に、基地局１０３と通信することにより他の電子機器を検索し、その結果不足した電力を受信することができる。例えば、電子機器２１及び２３のそれぞれが図１に示す移動端末機１０４及び１０５であり、移動端末機１０５が移動端末機１０４から受信したバッテリー電力量が不足する場合に、移動端末機１０５は、移動端末機１０６又は充電ステーション１０７を通して電力を受信することができる。バッテリー２１１は、電力受信部２０７から電力を受信することにより不足した電力を補充する。
【００２３】
図２では、通信及び制御部２０３及び２０９のそれぞれが１つの構成要素で図示されているが、通信部及び制御部に分離することによりそれぞれの役割を実行するようにすることができる。
【００２４】
図１及び図２を参照して無線充電を実行する過程について説明する。
【００２５】
図３は、本発明の一実施形態による電子機器間の無線充電過程を示すフローチャートである。無線充電を要請する電子機器が移動端末機１０５であると仮定する。
【００２６】
図３を参照すると、ステップ３０１において、移動端末機１０５は、移動端末機１０５に隣接した移動端末機と無線充電を実行するために電力充電料金制に加入する。電力充電料金制は、同一の通信社の電力充電料金制に加入した移動端末機又は充電ステーシ間の電力を送受信し、送受信された電力量に比例して料金を追加するか又は割り引く料金制を意味する。これは、電力充電料金制に加入した移動端末機の間のみで電力充電を実行することができるようにするためである。移動端末機が電力充電料金制の代わりに電力充電に対する付加サービスに加入しても、これらは無線で充電されることができる。移動端末機１０５が電力充電料金制に加入する場合に、ステップ３０３において、バッテリーに残っている電力量がしきい値より小さい場合に電力充電を実行するためにしきい値を設定する。ステップ３０５において、移動端末機１０５は、ステップ３０３で設定されたしきい値に基づいて自身のバッテリーが充電される必要があるか否かを判定する。バッテリー充電が必要でない場合に、移動端末機１０５は、ステップ３０７において所定の時間期間の間待機した後に、ステップ３０５に進み、そのバッテリーの充電が必要であるか否かを判定する。
【００２７】
バッテリー充電が必要である場合に、移動端末機１０５は、ステップ３０９において、移動端末機１０５に隣接した少なくとも１つの移動端末機が存在するか否かを判定する。少なくとも１つの移動端末機は、図１に示すように、移動端末機１０４、移動端末機１０６、及び充電ステーション１０７であり得る。隣接した移動端末機が存在しない場合に、移動端末機１０５は、ステップ３１１において他の移動端末機を継続して検索する。移動端末機１０５に隣接した少なくとも１つの移動端末機が発見される場合に、ステップ３０９に続いてステップ３１３に進む。発見された移動端末機が移動端末機１０４、移動端末機１０６、及び充電ステーション１０７であると仮定する。
【００２８】
ステップ３１３において、移動端末機１０５は、検索された移動端末機１０４、移動端末機１０６、及び充電ステーション１０７が電力サービス情報を送信するように要請する。電力サービス情報は、移動端末機が電力充電料金制に加入するか否かに関する情報及びバッテリーに残っている電力量に関する情報を含む。移動端末機は、ステップ３１５において、移動端末機１０４、移動端末機１０６及び充電ステーション１０７から電力サービス情報を受信することにより移動端末機１０５と同一の料金制に加入しつつ移動端末機１０５にもっとも近い距離に位置した移動端末機又は充電ステーションを選択し、該選択された移動端末機又は充電ステーションを要請することにより電力充電を実行する。移動端末機１０５は、ステップ３１７において、充電要請が受諾されたか否かを判定する。移動端末機から充電要請が受諾されない場合に、移動端末機１０５は、ステップ３１９において充電要請に対する拒絶メッセージを生成し、ステップ３１５に進み、電力充電料金制に加入した移動端末機又は充電パッドのうちで移動端末機１０５に２番目に近い移動端末機又は充電パッドを選択する。図３において、移動端末機又は充電パッドが隣接した距離の順序に選択されるとしても、これらは、そのバッテリーに残っている電力量のような他の基準の順序に選択されてもよい。ステップ３１７において充電要請が受諾される場合に、移動端末機１０５は、ステップ３２１において、充電要請を受諾する移動端末機又は充電ステーションと無線充電を開始する。
【００２９】
ステップ３２３において、移動端末機１０５は、受信される電力量が所定のしきい値に到達したか否かを判定することにより無線充電が完了したか否かを判定する。ステップ３２５において、無線充電が完了しない場合に、移動端末機１０５は、電力を送信する移動端末機のバッテリーの電力量が所定のしきい値に到達したか否かを判定する。これは、電力を送信する移動端末機のバッテリーに残っている電力量のうちで所定のしきい値以上の電力量を送信するためである。電力を送信する移動端末機のバッテリーの電力量が所定のしきい値に到達しなかった場合に、移動端末機１０５は、無線充電を継続して実行しつつステップ３２３に進み、所定のしきい値に到達する場合に、移動端末機１０５は、ステップ３２７において、無線充電を終了し、充電情報を基地局に送信した後にステップ３１５に進む。
【００３０】
ステップ３２３において無線充電が完了する場合に、移動端末機１０５は、ステップ３２９において充電情報を基地局に送信する。次いで、基地局は、ステップ３３１において、充電情報を参照して移動端末機の料金を追加するか又は割り引く。
【００３１】
図４及び図５は、本発明の一実施形態による電力サービスに加入した電子機器間の無線充電を実行するシステムを示す図である。図４は、電子機器間の最初の無線充電を実行するシステムを示す。図５は、所望の無線充電が実行されない場合に他の電子機器と追加の無線充電を実行するシステムを示す。図４及び図５のシステムのそれぞれは、基地局サーバ１０１、バックボーン１０２、基地局１０３、及び複数の電子機器１０４乃至１０７を含む。複数の電子機器１０４乃至１０７は、移動端末機Ａ  １０４、移動端末機Ｂ  １０５、移動端末機Ｃ  １０６、及び充電ステーション１０７として定義される。移動端末機１０４乃至１０６の横のバーはバッテリー電力量を示す。
【００３２】
図４を参照すると、移動端末機１０５は、自身のバッテリーに残っている電力量が所定のしきい値より小さいことを確認し、基地局１０３が自身に隣接した少なくとも１つの移動端末機が存在するか否かを確認することを要請する。移動端末機１０４、移動端末機１０６、及び充電ステーション１０７が移動端末機１０５に隣接すると仮定する。基地局１０３は、このような要請情報をバックボーン１０２を通して基地局サーバ１０１に送信する。基地局サーバ１０１は、受信された要請情報に対する応答情報をバックボーン１０２を通して基地局１０３に送信する。移動端末機１０５は、移動端末機１０４、移動端末機１０６、及び充電ステーション１０７が移動端末機１０５に隣接することを確認し、移動端末機１０４、移動端末機１０６、及び充電ステーション１０７が基地局１０３を通して電力サービス情報を送信するように要請する。
【００３３】
電力サービス情報は、移動端末機が電力充電料金制に加入するか否かに関する情報及びバッテリーに残っている電力量に関する情報を含む。充電ステーション１０７がバッテリーを含まないので、充電ステーション１０７が充電可能な充電用パッドであることを示す情報のみが充電ステーション１０７の電力サービス情報に含まれている。移動端末機１０５は、無線充電料金制に加入されており、移動端末機１０５にもっとも隣接した移動端末機を選択する。図４において、移動端末機１０４が選択されると仮定する。基地局１０３は、基地局サーバ１０１から受信された電力サービス情報を移動端末機１０５に送信し、移動端末機１０５は、受信された電力サービス情報を参照して移動端末機１０４と無線充電を実行する。
【００３４】
しかしながら、無線充電を実行する間に、移動端末機１０４の充電電力の送信量が移動端末機１０５が所望する充電電力量より少ない場合がある。すなわち、移動端末機１０５により受信されるべき電力量が移動端末機１０４により送信されることができる電力量より多い場合がある。このような場合において、不十分な電力を充電する方法を図５を参照して説明する。
【００３５】
図５を参照すると、移動端末機１０５が移動端末機１０４から無線充電を実行する間に移動端末機１０４が送信可能な電力量を送信したとしても移動端末機１０５が受信する電力量が不十分である場合に、移動端末機１０５は、同一の無線充電料金制に加入した、自身と２番目に近く隣接した移動端末機又は充電ステーションを選択する。このような移動端末機が充電ステーション１０７であると仮定する。移動端末機１０５は、電力サービス情報を参照して充電ステーション１０７と無線充電を実行することにより不十分な電力を補充する。
【００３６】
図４及び図５において、移動端末機１０５が自身に隣接した距離順に無線充電を実行する電子機器を選択したが、受信される電力サービス情報に含まれた電子機器のバッテリー電力量を比較することによりバッテリー電力量の順序に電子機器を選択してもよい。すなわち、移動端末機１０５は、隣接した複数の電子機器のうちでバッテリー電力量がもっとも大きい電子機器と優先的に無線充電を実行する。バッテリー電力がさらに必要である場合に、移動端末機１０５は、２番目に大きいバッテリー電力量を有する電子機器と無線充電を実行する。しかしながら、バッテリー電力量を用いて無線充電を実行する電子機器を選択する場合に、バッテリーがない充電ステーションは、隣接した距離に関係なくユーザにより受動で選択されるように設定されるか、又は移動端末機１０５に隣接した場合にバッテリーを有する他の電子機器より優先順位で自動で選択されるように設定されることができる。
【００３７】
さらに、図４及び図５において、移動端末機１０５が基地局１０３又は基地局サーバ１０１を通して電力サービス情報を受信したが、移動端末機１０５が電力サービス情報を近距離通信を用いて移動端末機１０４、移動端末機１０６、及び充電ステーション１０７に送信するように直接に要請してもよい。
【００３８】
したがって、所望する電力量をすべて受信する場合に、移動端末機１０５は、受信された電力量に関する充電情報を基地局１０３に送信する。充電情報を受信した基地局１０３は、充電情報をバックボーン１０２を通して基地局サーバ１０１に送信する。基地局サーバ１０１は、充電情報を参照して充電電力を送受信した移動端末機の料金を計算する。充電情報を用いて充電料金を計算する方法を図６を参照して説明する。
【００３９】
図６は、本発明の一実施形態による無線充電による充電情報を送信するシステムを示す図である。
【００４０】
図６を参照すると、所望する電力量が受信された場合に、移動端末機１０５は、無線充電を終了し、受信した電力量に関する充電情報を基地局１０３に送信する。電力を送信した移動端末機１０４及び充電ステーション１０７は、送信した電力量に関する充電情報を基地局１０３に送信することができる。図４及び図５に示すように、移動端末機１０５が最初に移動端末機１０４から一定量の電力量を受信し、この後に充電ステーション１０７から所定の電力量を受信したので、移動端末機１０５がこの充電情報を基地局１０３に送信する場合に、基地局１０３は、受信した充電情報をバックボーン１０２を通して基地局サーバ１０１に送信する。その後に、基地局サーバ１０１は、受信した充電情報を参照して移動端末機１０４及び１０５に対する料金を追加するか又は割り引く。他の移動端末機から必要な電力を受信する移動端末機の料金が追加され、自身の電力を送信する移動端末機の料金が割り引かれる。したがって、移動端末機１０５に対しては電力の受信に対応する料金が追加され、移動端末機１０４に対しては電力の送信に対応する料金が割り引かれる。
【００４１】
図７は、本発明の一実施形態による電子機器間の無線充電を管理する基地局サーバ１０１の内部構成を示すブロック図である。基地局サーバ１０１は、充電情報受信部７０１、料金管理部７０３、電力サービス情報送受信部７０５、及び電力サービス情報データベース７０７を含む。
【００４２】
図７を参照すると、充電情報受信部７０１は、無線充電を実行した少なくとも１つの電子機器から充電情報を受信し、該充電情報を料金管理部７０３に送信する。充電情報は、特定の移動端末機との無線充電の送受信に関する情報を含む。料金管理部７０３は、受信された充電情報を参照して無線充電を実行した電子機器に対して料金を追加するか又は割り引く。電力を受信した電子機器に対しては料金が追加され、電力を送信した電子機器に対しては料金が割り引かれる。
【００４３】
電力サービス情報送受信部７０５は、特定の電子機器が自身と隣接した少なくとも１つの電子機器の電力サービス情報の要請を受信する場合に、この要請を電力サービス情報データベース７０７に送信し、電力サービス情報データベース７０７から受信した電力サービス情報を特定の電子機器に送信する。電力サービス情報は、特定の電子機器に隣接した少なくとも１つの電子機器が電力充電料金制に加入するか否かに関する情報及びバッテリーに残っている電力量に関する情報を含む。電力サービス情報データベース７０７は、基地局サーバ１０１の範囲内に位置したすべての電子機器に関する情報を含む。例えば、電力サービス情報データベース７０７は、電力充電料金制に加入する電子機器に関する情報及び電力充電料金制に加入する少なくとも１つの電子機器のバッテリー電力量に関する情報を含む。電力サービス情報データベース７０７は、電力サービス情報送受信部７０５から電力サービス要請を受信すると、特定の電子機器に隣接した少なくとも１つの電子機器が料金制に加入しているか否かを確認する。電力充電料金制に加入している電子機器が存在する場合に、電力サービス情報データベース７０７は、バッテリー充電量情報をチェックし、このチェックされた結果を電力サービス情報送受信部７０５に送信する。
【００４４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００４５】
１０１  基地局サーバ
１０２  バックボーン
１０３  基地局サーバ
１０４、１０５、１０６  移動端末機
１０７  充電ステーション
２１  電子機器
２０１  電力送信部
２０３  通信及び制御部
２０５  バッテリー
２３  電子機器
２０７  電力受信部
２０９  通信及び制御部
２１１  バッテリー
７０１  充電情報受信部
７０３  料金管理部
７０５  電力サービス情報送受信部
７０７  電力サービス情報データベース
【図１】
2013526240.tif 000003
【図２】
2013526240.tif 000004
【図３】
2013526240.tif 000005
【図４】
2013526240.tif 000006
【図５】
2013526240.tif 000007
【図６】
2013526240.tif 000008
【図７】
2013526240.tif 000009
【国際調査報告】
2013526240.tif 000010
2013526240.tif 000011
2013526240.tif 000012